(57)【要約】      （修正有）【課題】使用時その開閉を容易にし、また、反射・夜光蛍光性の原理を利用し、視覚視認性を高め、目じるしとなり、平時から災害時・防災備蓄用としても活用でき、そして、ポイ捨て防止と街の美化・リサイクルの喚起推進を追及したペットボトルのキャップを提供する。【解決手段】ペットボトル４のキャップ側面に複数の突起した角状すべり止め部２を設け、キャップ天面に、反射・夜光蛍光・標語部１を設け反射・夜光蛍光性の塗料をコーティング、反射・夜光蛍光性のシールをテーピング、そのいずれかを用いる。また、キャップ天面の反射・夜光蛍光・標語部１とキャップ側面下に標語部３を設け、そこにＮＯ！ポイ捨てリサイクルを印字したことを特徴とする。【選択図】図１
0003191145.tif 000002
【実用新案登録請求の範囲】
【請求項１】
ペットボトル４のキャップ側面に複数の突起した角状すべり止め部２をもうけたＯＫエコキャップ。
【請求項２】
ペットボトル４のキャップ天面に反射・夜光蛍光・標語部１を設け反射・夜光蛍光性の塗料をコーティング・反射夜光蛍光性のシールをテーピング、そのいずれかを用いたＯＫエコキャップ。
【請求項３】
ペットボトル４のキャップ天面の反射・夜光蛍光・標語部１とキャップ側面下標語部３を設けＮＯ！ポイ捨てリサイクルを印字した。
その際１・３を選択するＯＫエコキャップ。
【考案の詳細な説明】
【技術分野】
【０００１】本考案は、ＯＫエコキャップに関する。
【背景技術】
【０００２】従来のペットボトルのキャップは、プラスチックにより形成され、カラー・形状ともに多様化してあった。
【考案の概要】
【考案が解決しようとする課題】
【０００３】しかしながら、従来のペットボトルのキャップは、内容物の出し入れするときに開閉するだけのものであった。
【課題を解決するための手段】
【０００４】本考案は、従来のペットボトル４のキャップにおいて、キャップ側面に複数の突起した角状すべり止め部２を設け、またキャップ天面には、反射・夜光蛍光・標語部１を設け、反射・夜光蛍光性の塗料をコーティング、反射・夜光蛍光性のシールをテーピングする。そしてそのいずれかを用いる。またその上とキャップ側面下に標語部３を設け、ＮＯ！ポイ捨てリサイクルを印字した。その際標語については、１・３のいずれかを選択する。
【考案の効果】
【０００５】本考案に係るＯＫエコキャップは、キャップ２に複数の突起した角状のすべり止めにより開閉が一段と容易になった。また、かたいものでもテコの原理を応用し、布でおさえることにより至便である。キャップ１については、夕暮れ時、夜間において、光があたることにより反射し、暗闇ではその天面が発光する。それによって視覚視認性が高められその存在位置確認が容易にできる。そしてイン・アウトドア、いつどこでも探しあてるときにも目じるしとなり、平時から、災害時防災備蓄用としても活用できる。キャップ１・３の標語については、ペットボトルを手にし開閉時には目にとまり、マナー意識を自覚し、ポイ捨て防止と街の美化推進、資源のリサイクル喚起も期待できる。
【図面の簡単な説明】
【０００６】
【図１】  本考案に係るペットボトルＯＫエコキャップの正面図である。
【図２】  本考案に係るＯＫエコキャップの天面図である。
【図３】  本考案に係るＯＫエコキャップの側面図である。
【考案を実施するための形態】
【０００７】図１・図２・図３に示すように、ペットボトル４のキャップ２側面に複数の突起した角状すべり止めを設けた。キャップ１天面には、反射・夜光蛍光性の塗料をコーティング・反射・夜光蛍光性のシールをテーピングする。そしてそのいずれかを用いる。またその上とキャップ３に標語ＮＯ！ポイ捨てリサイクルを印字した。その際標語については、１・３を選択する。本考案は以上のような構成により、これを取り付けることにより、キャップの開閉が容易となり、目じるしとなり、ポイ捨て防止と街の美化・リサイクル喚起推進に役立てようとするものである。
【符号の説明】
【０００８】１  反射・夜光蛍光・標語部
２  角状すべり止め部
３  標語部
４  ペットボトル
【図１】
0003191145.tif 000003
【図２】
0003191145.tif 000004
【図３】
0003191145.tif 000005
【手続補正書】
【提出日】平成26年2月26日(2014.2.26)
【手続補正１】
【補正対象書類名】実用新案登録請求の範囲
【補正対象項目名】全文
【補正方法】変更
【補正の内容】
【実用新案登録請求の範囲】
【請求項１】
ペットボトル（４）のキャップ側面に複数の突起した角状すべり止め部（２）を設けたキャップ。
【請求項２】
ペットボトル（４）のキャップ天面に反射・夜光蛍光・標語部（１）を設け反射・夜光蛍光性の塗料をコーティング・反射夜光蛍光性のシールをテーピング、そのいずれかを用いたことを特徴とする請求項１記載のキャップ。
【請求項３】
ペットボトル（４）のキャップ天面の反射・夜光蛍光・標語部（１）またはキャップ側面下標語部（３）に、ＮＯ！ポイ捨てリサイクルを印字したことを特徴とする請求項１記載のキャップ。
【手続補正２】
【補正対象書類名】明細書
【補正対象項目名】全文
【補正方法】変更
【補正の内容】
【考案の詳細な説明】
【技術分野】
【０００１】本考案は、キャップに関する。
【背景技術】
【０００２】従来のペットボトルのキャップは、プラスチックにより形成され、カラー・形状ともに多様化してあった。
【考案の概要】
【考案が解決しようとする課題】
【０００３】しかしながら、従来のペットボトルのキャップは、内容物の出し入れするときに開閉するだけのものであった。
【課題を解決するための手段】
【０００４】本考案は、従来のペットボトル４のキャップにおいて、キャップ側面に複数の突起した角状すべり止め部２を設け、またキャップ天面には、反射・夜光蛍光・標語部１を設け、反射・夜光蛍光性の塗料をコーティング、反射・夜光蛍光性のシールをテーピングする。そしてそのいずれかを用いる。またその上とキャップ側面下に標語部３を設け、ＮＯ！ポイ捨てリサイクルを印字した。その際標語については、１・３のいずれかを選択する。
【考案の効果】
【０００５】本考案に係るキャップは、キャップ２に複数の突起した角状のすべり止めにより開閉が一段と容易になった。また、かたいものでもテコの原理を応用し、布でおさえることにより至便である。キャップ１については、夕暮れ時、夜間において、光があたることにより反射し、暗闇ではその天面が発光する。それによって視覚視認性が高められその存在位置確認が容易にできる。そしてイン・アウトドア、いつどこでも探しあてるときにも目じるしとなり、平時から、災害時防災備蓄用としても活用できる。キャップ１・３の標語については、ペットボトルを手にし開閉時には目にとまり、マナー意識を自覚し、ポイ捨て防止と街の美化推進、資源のリサイクル喚起も期待できる。
【図面の簡単な説明】
【０００６】
【図１】本考案に係るペットボトルキャップの正面図である。
【図２】本考案に係るキャップの天面図である。
【図３】本考案に係るキャップの側面図である。
【考案を実施するための形態】
【０００７】図１・図２・図３に示すように、ペットボトル４のキャップ２側面に複数の突起した角状すべり止めを設けた。キャップ１天面には、反射・夜光蛍光性の塗料をコーティング・反射・夜光蛍光性のシールをテーピングする。そしてそのいずれかを用いる。またその上とキャップ３に標語ＮＯ！ポイ捨てリサイクルを印字した。その際標語については、１・３を選択する。本考案は以上のような構成により、これを取り付けることにより、キャップの開閉が容易となり、目じるしとなり、ポイ捨て防止と街の美化・リサイクル喚起推進に役立てようとするものである。
【符号の説明】
【０００８】１  反射・夜光蛍光・標語部
２  角状すべり止め部
３  標語部
４  ペットボトル